(57)【要約】【課題】  室内を換気可能な機能を備えると共に、換気時に室外に排出される室内空気が有する暖気、または冷気を室内に流入する室外空気に伝達することで、エネルギー消耗を減らせる機能を備えた空気調和器の室内機、及び前記室内機に装着され使用される換気ユニットを提供する。【解決手段】  吸入口と排出口を有するキャビネット１００と、吸入口を介して吸入した室内空気を排出口に排出する送風機２００と、キャビネット内に配置される熱交換機３００と、室内空気を吸入した後、室外に排出し、室外空気を吸入した後、室内に供給する換気ユニット４００とを含む。【選択図】  図３
2005024230.tif 000002
【特許請求の範囲】
【請求項１】
吸入口と排出口を有するキャビネットと、
前記吸入口を介して吸入した室内空気を前記排出口に排出する送風機と、
前記キャビネット内に配置される熱交換機と、
室内空気を吸入した後、室外に排出し、室外空気を吸入した後、室内に供給する換気ユニットとを含むことを特徴とする空気調和器の室内機。
【請求項２】
前記換気ユニットは、
内部に第１及び第２流路を有するケーシングと、
前記ケーシングの一方の側に設けられ、室内空気を吸入した後、前記第１流路に排出し、前記第２流路を介して流入した室外空気を室内に供給するファンアセンブリと、
一端が前記ケーシングに連結され、他端が室外と連通するように設置され、前記室内及び室外空気をそれぞれ案内する換気ホースとを含むことを特徴とする請求項１記載の空気調和器の室内機。
【請求項３】
前記換気ホースは、
前記第２流路と連通するアウターホースと、
前記アウターホース内に提供され、前記第１流路と連通するインナーホースとを含むことを特徴とする請求項２記載の空気調和器の室内機。
【請求項４】
前記換気ユニットは、
前記送風機の下側に配置されることを特徴とする請求項１記載の空気調和器の室内機。
【請求項５】
内部に第１及び第２流路を有するケーシングと、
前記ケーシングの一方の側に設けられ、室内空気を吸入した後、前記第１流路に排出し、前記第２流路を介して流入した室外空気を室内に供給するファンアセンブリと、
一端が前記ケーシングに連結され、他端が室外と連通するように設置され、前記室内及び室外空気をそれぞれ案内する換気ホースと
を備える換気ユニットを内部に有することを特徴とする空気調和器の室内機。
【請求項６】
前記ケーシングは、
前記第１及び第２流路を分ける区画板、そして、開放された上部を有する下部ハウジングと、
前記開放された上部を覆うカバーと、
前記下部ハウジングの一方の側に取り付けられ、前記第１及び第２流路を前記換気ホースにそれぞれ連結するコネクターとを含むことを特徴とする請求項５記載の空気調和器の室内機。
【請求項７】
前記ファンアセンブリは、
二つのシャフトを有するモータと、
前記モータの各シャフトに連結される第１及び第２ファンと、
前記第１ファンを囲むように設けられ、室内空気を前記第１流路に案内する第１ハウジングと、
前記第２ファンを囲むように設けられ、前記第２流路を介して流入した室外空気を室内に案内する第２ハウジングとを含むことを特徴とする請求項５記載の空気調和器の室内機。
【請求項８】
前記コネクターは、
前記第２流路と連通する第１ニップルと、
前記第１ニップル内に設けられ、前記第１流路と連通する第２ニップルとを含むことを特徴とする請求項６記載の空気調和器の室内機。
【請求項９】
内部に第１及び第２流路を有するケーシングと、
前記ケーシングの一方に設けられ、室内空気を吸入した後、前記第１流路に排出し、前記第２流路を介して流入した室外空気を室内に供給するファンアセンブリと、
一端が前記ケーシングに連結され、他端が室外と連通するように設置され、前記室内及び室外空気をそれぞれ案内する換気ホースと、
前記室内空気と室外空気を間接的に交差させながら熱交換するように、前記ケーシング内に提供される伝熱交換機と
を含む換気ユニットを内部に有することを特徴とする空気調和器の室内機。
【請求項１０】
前記伝熱交換機は、
それぞれ所定の距離離隔して配置され、内部に前記室内空気が流動する第３流路と、
前記各第３流路の間に接触して配置され、内部に前記室外空気が流動する第４流路とを含むことを特徴とする請求項９記載の空気調和器の室内機。
【請求項１１】
前記換気ユニットは、
前記伝熱交換機が換気ユニットの内部に挿入される時にスライディングを案内し、前記伝熱交換機が完全に挿入された時に前記伝熱交換機の角部を支持できるように前記換気ユニットの内壁から突出するリッジを含むことを特徴とする請求項９記載の空気調和器の室内機。
【請求項１２】
前記伝熱交換機は、黄土成分が添加されたダンボール材質からなることを特徴とする請求項９記載の空気調和器の室内機。
【請求項１３】
前記伝熱交換機の角部を介して室内及び室外空気が漏洩することを防止するため、前記伝熱交換機の角部を包むように設けられる密封部材をさらに含むことを特徴とする請求項９記載の空気調和器の室内機。
【請求項１４】
前記換気ユニット内に設けられ、室内に流入する室外空気に含まれた異物質を除去するフィルターをさらに含むことを特徴とする請求項９記載の空気調和器の室内機。
【発明の詳細な説明】
【技術分野】
【０００１】
本発明は空気調和器に関し、特に室内を換気可能な機能を有した空気調和器の室内機、及び前記室内機に設置される換気ユニットに関する。
【背景技術】
【０００２】
空気調和器は、冷媒が相変化する時に周囲へ熱を発散したり、周囲の熱を吸収したりする性質を用いて、室内の空気を用途、及び目的に応じて最も適合した状態に維持するための装置である。例えば、夏には涼しい状態を、冬には温かい状態を維持させる。
【０００３】
かかる空気調和器は、圧縮器、凝縮器、膨張装置、および蒸発器を含み、一体型と分離型とに分けられる。ここで、前記一体型空気調和器は、第１及び第２熱交換機、圧縮器などの部品が一つのキャビネット内に設置された構造を有する。このような一体型の空気調和器において、一般に前記第１熱交換機は室内と連通し、前記第２熱交換機および圧縮器は室外と連通しえるように壁体、または窓を貫くように設置される。
【０００４】
前記分離型空気調和器は、図１に示すように、冷媒管３０によって連結された室内機１０と、室外機２０とを含む。ここで、前記室内機１０内には第１熱交換機が設置され、前記室外機２０内には第２熱交換機および圧縮器が設置される。
【０００５】
上記のように設置される一体型、及び分離型空気調和器において、前記第２熱交換機は室外空気と熱交換し、前記第１熱交換機は室内空気と熱交換する。
そして、前記第１熱交換機と熱交換された室内空気はファンによって室内の空間に排出されるので、室内空間が冷房、または暖房される。
【発明の開示】
【発明が解決しようとする課題】
【０００６】
しかしながら、上記の構造を有する空気調和器を用いて室内を長い間冷房、または暖房すると、室内空気は非常に濁った状態となる。したがって、空気調和器を長時間使用する場合には、必ず周期的に窓やドアを開けて室内を換気しなければならないため、かなり面倒くさい。そして、開いた窓やドアを通じて温かい、或いは冷たい室外空気が急に室内へ供給されるので、室内にいる人は不快感を感じる。また、換気後に再び室内空間を冷房、または暖房するためには多くのエネルギーと時間が所要される。
【０００７】
そこで、本発明の目的は、室内を換気可能な機能を備えた空気調和器の室内機、及び前記室内機に装着され使用される換気ユニットを提供することにある。
【０００８】
他の目的として、換気時に室外に排出される室内空気が有する暖気、または冷気を室内に流入する室外空気に伝達することで、エネルギー消耗を減らせる機能を備えた空気調和器の室内機、及び前記室内機に装着され使用される換気ユニットを提供する。
【課題を解決するための手段】
【０００９】
上記目的を達成するための本発明の一形態では、吸入口と排出口を有するキャビネットと、前記吸入口を介して吸入した室内空気を前記排出口に排出する送風機と、前記キャビネット内に配置される熱交換機と、室内空気を吸入した後、室外に排出し、室外空気を吸入した後、室内に供給する換気ユニットとを含むことを特徴とする空気調和器の室内機を提供する。
【００１０】
前記換気ユニットは、内部に第１及び第２流路を有するケーシングと、前記ケーシングの一方の側に設けられ、室内空気を吸入した後、前記第１流路に排出し、前記第２流路を介して流入した室外空気を室内に供給するファンアセンブリと、一端が前記ケーシングに連結され、他端が室外と連通するように設置され、前記室内及び室外空気をそれぞれ案内する換気ホースとを含んでいてもよい。
【００１１】
前記換気ホースは、前記第２流路と連通するアウターホースと、前記アウターホース内に設けられ、前記第１流路と連通するインナーホースとを含んでいてもよい。
【００１２】
前記換気ユニットは、前記送風機の下側に配置されていてもよい。
【００１３】
上記目的を達成するための本発明の他の一形態では、内部に第１及び第２流路を有するケーシングと、前記ケーシングの一方の側に設けられ、室内空気を吸入した後、前記第１流路に排出し、前記第２流路を介して流入した室外空気を室内に供給するファンアセンブリと、一端が前記ケーシングに連結され、他端が室外と連通するように設置され、前記室内及び室外空気をそれぞれ案内する換気ホースとを備える換気ユニットを内部に有する空気調和器の室内機を提供する。
【００１４】
前記ケーシングは、前記第１及び第２流路を分ける区画板、そして、開放された上部を有する下部ハウジングと、前記開放された上部を覆うカバーと、前記下部ハウジングの一方に取り付けられ、前記第１及び第２流路を前記換気ホースにそれぞれ連結するコネクターとを含んでいてもよい。
【００１５】
前記ファンアセンブリは、二つのシャフトを有するモータと、前記モータの各シャフトに連結される第１及び第２ファンと、前記第１ファンを囲むように設けられ、室内空気を前記第１流路に案内する第１ハウジングと、前記第２ファンを囲むように設けられ、前記第２流路を介して流入した室外空気を室内に案内する第２ハウジングとを含んでいてもよい。
【００１６】
前記コネクターは、前記第２流路と連通する第１ニップルと、前記第１ニップル内に設けられ、前記第１流路と連通する第２ニップルとを含んでいてもよい。
【００１７】
上記目的を達成するための本発明の他の一形態では、内部に第１及び第２流路を有するケーシングと、前記ケーシングの一方の側に設けられ、室内空気を吸入した後、前記第１流路に排出し、前記第２流路を介して流入した室外空気を室内に供給するファンアセンブリと、一端が前記ケーシングに連結され、他端が室外と連通するように設置され、前記室内及び室外空気をそれぞれ案内する換気ホースと、前記室内空気と室外空気を間接的に交差させながら熱交換するように、前記ケーシング内に提供される伝熱交換機とを含む換気ユニットを内部に有する空気調和器の室内機を提供する。
【００１８】
前記伝熱交換機は、それぞれ所定の距離離隔して配置され、内部に前記室内空気が流動する第３流路と、前記各第３流路の間に接触して配置され、内部に前記室外空気が流動する第４流路とを含んでいてもよい。
【００１９】
前記換気ユニットは、前記伝熱交換機が換気ユニットの内部に挿入される時にスライディングを案内し、伝熱交換機が完全に挿入された時に前記伝熱交換機の角部を支持できるように前記換気ユニットの内壁から突出するリッジを含んでいてもよい。
【００２０】
前記伝熱交換機は、黄土成分が添加されたダンボール材質からなっていてもよい。
【００２１】
前記伝熱交換機の角部を介して室内及び室外空気が漏洩することを防止するため、前記伝熱交換機の角部を包むように設けられる密封部材をさらに含んでいてもよい。
【００２２】
前記換気ユニット内に提供され、室内に流入する室外空気に含まれた異物質を除去するフィルターをさらに含んでいてもよい。
【発明の効果】
【００２３】
本発明は次のような長所を有する。
一、換気ユニットが装着された室内機が直接室内を換気するので、ユーザーはドアや窓を開けずに済み、非常に便利である。
二、換気ユニットに伝熱交換機が提供されると、換気時に室外に排出される室内空気が有する冷気、または暖気を、室内に供給される室外空気に回収することができる。したがって、省エネルギーの効果が得られ、換気後の冷房または暖房時間を節約できる。また、室内温度と同じぐらい温度の空気が室内に供給されるので、換気時に室内にいる人が不快感を感じない。
【発明を実施するための最良の形態】
【００２４】
以下、本発明の好ましい実施形態を添付の図面に基づいて詳細に説明する。
【００２５】
図２及び図３は本発明による換気ユニット４００が装着された空気調和器の室内機を示す。図２及び図３には本発明による換気ユニット４００が分離型空気調和器に装着された例が示され、上記換気ユニット４００は、一体型空気調和機にも適用可能である。以下では、図２及び図３に基づいて本発明による空気調和機の室内機について説明する。
【００２６】
図２を参照すると、前記室内機は、キャビネット１００、送風機２００、熱交換機３００、および、換気ユニット４００を含み、これらの構造についてより詳細に説明すると次の通りである。
【００２７】
前記キャビネット１００は、底面をなすベース１１０と、このベース１１０の上部に提供され、互いに組み立てられて内部にキャビティを提供するフロントパネル１２０およびリアパネル１３０とを含んでいる。ここで、前記リアパネル１３０には前記送風機２００、及び前記熱交換機３００などの部品が装着され、前記ベース１１０の上部には前記換気ユニット４００が装着される。
【００２８】
一方、前記フロントパネル１２０は、前面の中央部が突出し、その両側面は突出した中央部に対してやや傾斜した形状を有する。このような形状を有するフロントパネル１２０には排出口１２１と、吸入口（図示せず）がそれぞれ設けられる。
【００２９】
上記フロントパネル１２０で排出口１２１は上部に提供され、上記吸入口は下部に提供される。ここで、排出口１２１は、フロントパネル１２０の前面中央に大きく形成された第１排出口１２２と、上記傾斜した両側面に小さく形成された第２排出口１２３とを含む。このような構造を有すれば、空気を様々な方向に送ることができ、室内空間の隅々まで早い時間内に均等に冷房、或いは暖房しえる。
【００３０】
図２及び図３を参照すると、フロントパネル１２０には第１排出口１２２を開閉可能なカバー１２５がさらに備えられる。ここで、カバー１２５は、フロントパネル１２０の前面の中央に配置され、フロントパネル１２０内に提供された移動装置（図示せず）の制御に従って上下方向に移動しながら第１排出口１２２を閉じたり開けたりする。したがって、空気調和機の未使用時にはカバー１２５が第１排出口１２２を閉じるので、キャビネット１００内への塵などの流入を防止できるばかりでなく、きれいな外観が得られる。
【００３１】
一方、フロントパネル１２０で上記吸入口は下部、より詳細にはフロントパネル１２０の傾斜した両側面の下部に提供される。したがって、室内機は、下部の吸入口を介して室内空気を吸入した後、上部の排出口を介して排出する。
【００３２】
図２を参照すると、吸入口には吸入グリル１２６が設置される。そして、吸入グリル１２６の後側には、吸入グリル１２６を介して流入した室内空気中の塵などの異物質を濾過する第１フィルター１２７が設置される。そして、第１フィルター１２７の後側には微塵、及び臭いを除去できる第２フィルター１３１が設けられる。ここで、第１フィルター１２７の後ろに配置される第２フィルター１３１は、リアパネル１３０に固定される。したがって、上記吸入口を介して流入した室内空気中の異物質は、第１フィルター１２７で濾過され、第２フィルター１３１で濾過されなかった微細な異物質、及び臭い粒子は第２フィルター１３１によって除去される。
【００３３】
送風機２００はリアパネル１３０に装着され、リアパネル１３０の両側面にそれぞれ装着された２つの第２フィルター１３１の間に配置される。ここで、送風機２００は、ベース１１０と所定の距離離れて装着される。そのように配置された送風機２００は、上記吸入口を介して室内空気を吸入した後、排出口１２１に送る。
【００３４】
熱交換機３００は、フロントパネル１２０の排出口１２１と、送風機２００の間に配置される。熱交換機３００が室内空間を冷房する場合、熱交換機３００の表面では沢山の凝縮水が生成される。したがって、凝縮水を集めて外部に排出可能な構造が必要である。したがって、熱交換機３００の下側には凝縮水トレイ３１０が提供され、ドレインホース３２０が凝縮水トレイ３１０のドレイン３１１と外部とを連結するように装着される。一方、熱交換機３００は冷媒管１５０によって室外機（図示せず）に連結される。
【００３５】
換気ユニット４００は、ベース１１０と送風機２００の間に配置され、ベース１１０の上面に装着される。このために、キャビネット１００のベース１１０の上面には少なくとも一つの第１ボス１１５が突出し、換気ユニット４００には第１ボス１１５に対応する第２ボス４１１ｆが一方に少なくとも一つ突出する。上記のような構造を有する場合、スクリューなどの締結部材を第１ボス１１５と、第２ボス４１１ｆに締結することで、換気ユニット４００をキャビネット１００内に装着しやすくなる。このように装着される換気ユニット４００は、室内機が換気機能を行う時、吸入口を介して室内空気を吸入した後室外に排出し、室外空気を吸入した後、排出口を介して室内に供給する役割を果たす。
【００３６】
一方、図４乃至図５Ｂには本発明による換気ユニット４００の構造を詳細に示す。これらの図面を参照すると、換気ユニット４００は、ケーシング４１０、ファンアセンブリ４２０、そして、換気ホース４３０を含み、以下ではこれらの詳細な構造について説明する。
【００３７】
ケーシング４１０は、室内機のキャビネット１００内、より詳細にはベース１１０に装着され、内部に第１流路４１１ａと、第２流路４１１ｂを有する。ここで、第１流路４１１ａは室内空気を室外に排出するためのもので、第２流路４１１ｂは室外空気を室内に供給するためのものである。このようなケーシング４１０は、下部ハウジング４１１、カバー４１３、そして、コネクター４１５を含む。
【００３８】
下部ハウジング４１１の上部は開放され、その内部には区画板４１２によって分けられた第１流路４１１ａ及び第２流路４１１ｂが備えられる。
このような下部ハウジング４１１は、例えば、図５Ａ及び図５Ｂに示すように、アングルのように中間がほぼ直角に折り曲げられた形状を有する。下部ハウジング４１１には第１流路４１１ａ及び第２流路４１１ｂとそれぞれ連通する第１開口部４１１ｃ及び第２開口部４１１ｄがそれぞれ設けられる。
ここで、第１開口部４１１ｃと、第２開口部４１１ｄは、それぞれ下部ハウジング４１１の折り曲げられた内側面に備えられ、図５Ａ及び図５Ｂに示すように、折り曲げられた地点を基準にそれぞれ両側に配置される。
【００３９】
下部ハウジング４１１の端部のうち第２開口部４１１ｄと隣接した端部は開放される。そして、区画板４１２は、開放された一端に隣接して配置され、第１流路４１１ａと、第２流路４１１ｂを区画する。
したがって、下部ハウジング４１１の開放された一端を介して流入した室外空気は、区画板４１２によって第２流路４１１ｂに沿って移動した後、第２開口部４１１ｄに排出される。そして、第１開口部４１１ｃを介して下部ハウジング４１１内に流入した室内空気は、第１流路４１１ａに沿って移動した後、区画板４１２の案内によって下部ハウジング４１１の開放された一端を介して室外に排出される。
【００４０】
一方、図５Ａ及び図５Ｂには区画板４１２が第１流路４１１ａと第２流路４１１ｂとを完全に分離しない実施形態が示されている。これは、第１流路４１１ａと第２流路４１１ｂとが出会う地点に後述する伝熱交換機４４０が設置できるようにするためである。伝熱交換機４４０が設置されると、第１流路４１１ａと第２流路４１１ｂとは完全に分離され、第１流路４１１ａと第２流路４１１ｂをそれぞれ流動する室内空気と室外空気は、伝熱交換機４４０内で間接的に交差しながら熱交換する。このような伝熱交換機４４０については後述する。
【００４１】
しかし、本発明による換気ユニット４００には伝熱交換機４４０が提供されないこともあり、この場合、区画板４１２が前記第１流路４１１ａと第２流路４１１ｂとを完全に分離させる構造を有する。このような構造は、区画板４１２の一端を第２開口部４１１ｄに隣接した下部ハウジング４１１の側壁まで延長することで容易に実現できる。
【００４２】
下部ハウジング４１１の開放された上部にはカバー４１３が設けられる。
ケーシング４１０が下部ハウジング４１１と、カバー４１３とに分離された構造を有する場合、製作が容易になるばかりでなく、ケーシング４１０内に伝熱交換機４４０などの部品を設置しやすくなるという長所がある。
【００４３】
下部ハウジング４１１の開放された一端には第１流路４１１ａと、第２流路４１１ｂとを換気ホース４３０にそれぞれ連結するコネクター４１５が設けられる。コネクター４１５は、第１ニップル４１５ａ及び第２ニップル４１５ｂを含む。以下ではコネクター４１５について簡単に説明する。
【００４４】
図５Ａ及び図５Ｂを参照すると、第１ニップル４１５ａはコネクター４１５の中央から突出し、第２流路４１１ｂと連通する。そして、第２ニップル４１５ｂは第１ニップル４１５ａ内に設けられ、第１流路４１１ａと連通する。ここで、第２ニップル４１５ｂはその外周面が前記第１ニップル４１５ａの内周面に連結されるように設置され支持される。
【００４５】
上記のような構造を有するコネクター４１５には換気ホース４３０が連結される。換気ホース４３０はその一端がコネクター４１５に連結され、他端が室外と連通するように設置される。換気ホース４３０は、コネクター４１５の第１ニップル４１５ａ及び第２ニップル４１５ｂを通過する室外空気及び室内空気をそれぞれ独立的に案内する役割を果たす。このような換気ホース４３０は、アウターホース４３１とインナーホース４３３とを含む。以下ではこれらの構造について簡単に説明する。
【００４６】
アウターホース４３１は大きな直径を有し、その一端がコネクター４１５の第１ニップル４１５ａに連結される。したがって、アウターホース４３１は、第２流路４１１ｂを介して流動する室外空気を案内する。また、インナーホース４３３は小さい直径を有し、アウターホース４３１内を貫通するように設けられる。このようなインナーホース４３３は第２ニップル４１５ｂに連結されるので、第１流路４１１ａを介して流動する室内空気を案内する。
【００４７】
上記のように提供されるアウターホース４３１とインナーホース４３３は、それぞれ皺形管からなることが好ましい。すると、換気ホース４３０を曲げやすくなり、設置が非常に簡単である。また、換気ホース４３０の端部のうち室外に露出される端部にはメッシュ４３５が設けられることが好ましい。
このような構造を有する場合、前記換気ホース４３０への異物質や虫などの流入を効果的に防止できる。
【００４８】
一方、ファンアセンブリ４２０は、ケーシング４１０の一方、より詳細にはケーシング４１０の折り曲げられた内側面に設けられる。このように設けられたファンアセンブリ４２０は、室内空気を吸入した後、第１流路４１１ａとインナーホース４３３を介して室外に排出し、アウターホース４３１と、第２流路４１１ｂを介して室外空気を吸入した後、室内に供給する役割を果たす。このようなファンアセンブリ４２０は、モータ４２１と、第１及び第２ファン４２３、４２５と、第１及び第２ハウジング４２７、４２９とを含む。以下ではこれらの構造について詳細に説明する。
【００４９】
モータ４２１はケーシング４１０に取り付けられ、外部に露出された２つのシャフト４２１ａを有する。ここで、シャフト４２１ａはモータ４２１の両側にそれぞれ露出され、シャフト４２１ａに第１ファン４２３と、第２ファン４２５がそれぞれ連結される。ここで、第１ファン４２３と第２ファン４２５は、空気を軸方向に沿って吸入した後、外周面の方向に排出する円心ファンからなることが好ましい。
【００５０】
一方、第１ファン４２３は外周面の一方が第１開口部４１１ｃと向き合い、第２ファン４２５は軸方向の開放された一方が第２開口部４１１ｄと向き合うように配置される。
【００５１】
第１ハウジング４２７は第１ファン４２３を囲むように設けられ、第２ハウジング４２９は前記第２ファン４２５を囲むように設けられる。  
第１ファン４２３の開放された一方と向き合う第１ハウジング４２７の一面には、室内と連通した第３開口部４２７ａが設けられ、第１ハウジング４２７の外周面の一方には第１開口部４１１ｃと連通する第４開口部４２７ｂが設けられる。また、第２ハウジング４２９の外周面の一方には室内と連通する第５開口部４２９ａが設けられ、第２開口部４１１ｄと向き合う第２ハウジング４２９の一面には第２開口部４１１ｄと連通する第６開口部４２９ｂが設けられる。
【００５２】
上記の構造を有する換気ユニット４００でモータ４２１が作動すると、第１ファン４２３と、第２ファン４２５とが同時に回転する。すると、室内空気は第３開口部４２７ａを介して第１ハウジング４２７内に流入し、第１ファン４２３は室内空気を第１流路４１１ａに排出する。そして、第１流路４１１ａに流入した室内空気はコネクター４１５の第２ニップル４１５ｂを介して換気ホース４３０のインナーホース４３３に流入した後、室外に排出される。
【００５３】
一方、室外空気は換気ホース４３０がアウターホース４３１を介して流入した後、第１ニップル４１５ａを経由して第２流路４１１ｂに流入する。  
そして、第２流路４１１ｂに流入した室内空気は第２開口部４１１ｄと第６開口部４２９ｂを経て第２ハウジング４２９に流入し、第２ファン４２５によって排出され、室内に供給される。
【００５４】
上記のように作動する換気ユニット４００が装着された空気調和器を使用する場合、ドアや窓を開けずとも室内を換気できるので非常に便利ではあるものの、換気ユニット４００による室内換気時に室内空気が有する冷気または暖気を回収する構造がないため、換気後に室内を冷房、または暖房する時に沢山のエネルギーと時間が所要される。勿論、室内にいる人が換気時に突然に流入してくる室外空気のため感じる不快感も解消し難い。
【００５５】
したがって、本発明では上記の問題を全て解決できる技術的な解決手段として、前記ケーシング４１０内に伝熱交換機４４０が設けられた構造を提示する。
伝熱交換機４４０は、第１流路４１１ａと第２流路４１１ｂを介してそれぞれ流動する室内空気及び室外空気を間接的に交差させ、熱交換する装置であり、換気時に室内空気が有する熱エネルギーを室内に供給される室外空気に伝達する役割を果たす。図６には伝熱交換機の一実施形態が図示されており、以下では図５Ａ乃至図６に基づいて伝熱交換機４４０について説明する。
【００５６】
図５Ａ乃至図６を参照すると、伝熱交換機４４０は、室内空気が流動する第３流路４４１と、室外空気が流動する第４流路４４２とを含む。ここで、第３流路４４１はそれぞれ所定の距離をおいて配置され、第４流路４４２は、第３流路４４１の間に第３流路４４１と接触するように配置される。したがって、伝熱交換機４４０は、第３流路４４１と、第４流路４４２とが層別に交互に形成される構造を有する。
【００５７】
上記の構造を有する伝熱交換機４４０で各層はプレート４４３によって形成される。ここで、プレート４４３は多数個が備えられ、それぞれ所定の距離をおくように上下方向に沿って配置される。したがって、第３流路４４１と第４流路４４２は、各プレート４４３が形成する層に交互に形成される。
【００５８】
伝熱交換機４４０は、ケーシング４１０、より詳細には下部ハウジング４４１に挟まって装着される。このために、下部ハウジング４１１の内壁には伝熱交換機４４０の角を支持するためのリッジ４１１ｅが上下方向に沿って形成される。このように多数個のリッジ４１１ｅが設けられる場合、伝熱交換機４４０を下部ハウジング４１１に挟んで固定する時、リッジ４１１ｅが伝熱交換機４４０のスライディングを案内し、伝熱交換機４４０が完全に挿入された後には伝熱交換機４４０が左右に動かないように伝熱交換機４４０の角を支持する。
【００５９】
一方、下部ハウジング４１１の開放された上面にはカバー４１３が装着されるので、リッジ４１１ｅの間に固定された伝熱交換機４４０は上下方向にも動かず、完全に固定される。
【００６０】
上記のように伝熱交換機４４０が設置されると、第１流路４１１ａに沿って移動する室内空気は伝熱交換機４４０の第３流路４４１に流動し、第２流路４１１ｂに沿って移動する室外空気は伝熱交換機４４０の第４流路４４２に流動する。この際、第３流路４４１に流動する室内空気が有する冷気または暖気は、プレート４４３を介して第４流路４４２に流動する室外空気に伝達される。したがって、伝熱交換機４４０が設けられる、室内空気の暖気または冷気を室内に供給される室外空気に回収できるので、エネルギー浪費が防止され、換気後に室内を冷房、または暖房する時間も短縮される。
【００６１】
一方、プレート４４３の間には室内空気及び室内空気の流動方向を案内し、伝熱交換機４４０の熱交換能力を向上させる役割を果たす流動ガイド４４４がさらに設けられる。流動ガイド４４４は上方プレート４４３と、下方プレート４４３とにそれぞれ交互に接触するよう皺形状となっており、伝熱交換機４４０の各層別に提供される。
【００６２】
上記のように皺形の流動ガイド４４４が設けられると、室内空気及び室外空気が伝熱交換機４４０と接触する面積が大きくなるので、伝熱交換機４４０の熱交換能力が向上する。したがって、多量の冷気または暖気を室内に供給される室外空気に回収できる。
【００６３】
第３流路４４１内に提供される流動ガイドと、第４流路４４２に提供される流動ガイドとは互いにほぼ垂直な方向に設置される。すると、室内空気と室外空気が伝熱交換機４４０内で互いに垂直な方向に沿って移動しながら間接的に熱交換される。
【００６４】
上記のような構造を有する伝熱交換機４４０は、黄土成分が添加されたダンボール材からなる。この場合、室内及び室外空気が伝熱交換機４４０を通過する時、黄土成分によって室内及び室外空気に含まれる臭いが除去される。また、室内空気及び室外空気の流動騒音をダンボール材の伝熱交換機４４０が吸収する。
【００６５】
一方、伝熱交換機４４０の角には、図５Ｂ及び図６に示すように、密封部材４４５がさらに設けられる。密封部材４４５はゴムやスポンジなどからなり、伝熱交換機４４０の角を包むように設置される。このように密封部材４４５がさらに提供される場合、伝熱交換機４４０がケーシング４１０内に設置された時、ケーシング４１０の内壁と伝熱交換機４４０の角の間に室内空気及び室外空気が漏洩することを防止できる。また、前記密封部材４４５は、高速で流動する空気によって発生可能な伝熱交換機４４０の振動を効果的に防止できる。
【００６６】
換気ユニット４００にはフィルター４５０がさらに設けられる。フィルター４５０は、図５Ｂ及び図７に示すように、換気ユニット４００の第２流路４１１ｂに備えられ、室内に供給される室外空気中の異物質を除去する。フィルター４５０は、例えば、伝熱交換機４４０の一方に密着して設置される。このような構造を有する場合、室外空気中の異物質は換気ホース４３０に設けられたメッシュ４３５、フィルター４５０、そして、黄土成分を含めたダンボール材質の伝熱交換機４４０によって完全に除去される。したがって、換気ユニット４００は、きれいに浄化された室外空気を室内に供給できる。
【００６７】
上記のような構造を有した換気ユニット４００が装着された空気調和器は次のように作動する。
【００６８】
まず、室外機に装着された圧縮器が駆動すると、冷媒は冷媒管１５０を介して室内機に装着された熱交換機３００と、室外機に装着された熱交換機（図示せず）を循環する。室内を冷房する場合、熱交換機３００は室内空気の熱を吸収し、室内を暖房する場合、熱交換機３００は室内空気に熱を放出する。
【００６９】
上記の過程と共に送風機２００が作動すると、室内空気は前記フロントパネル１２０の下部に提供された吸入口を介してキャビネット１００内に流入する。
この際、室内空気は、第１フィルター１２７及び第２フィルター１３１を通過するので、室内空気中に含まれた異物質と臭い粒子は完全に除去される。
キャビネット１００内に流入した室内空気は、熱交換機３００と熱交換しながら冷却、或いは暖められた後、排出口１２１を介して室内に供給される。
【００７０】
一方、上記の過程が長時間進行すると、室内空気が濁り、室内を換気しなければならない。この際、圧縮器が停止し、送風機２００と換気ユニット４００のモータ４２１が作動する。モータ４２１が作動すると、第１ファン４２３と第２ファン４２５が回転しながら室内空気を室外に排出し、室外空気を室内に供給する。このような換気過程は既に充分に説明されており、換気時における室内及び室外空気の流れは図７に良く示されているので、これについての更なる説明は省略する。一方、換気する間、伝熱交換機４４０は室内空気が有する冷気または暖気を室外空気に伝達する。勿論、換気時に室外空気は浄化され、室内に供給される。
【００７１】
一方、換気ユニット４００によって室内に供給される室外空気は、室内に供給される前、送風機２００によって熱交換機３００を経由する。したがって、熱交換機３００に残っている冷気または暖気が室内に供給される室外空気に伝達されるので、エネルギー効率が向上する。
【図面の簡単な説明】
【００７２】
【図１】一般的な空気調和機を示す斜視図。
【図２】本発明による空気調和機の室内機を示す分離斜視図。
【図３】図２の室内機を一部切開した状態を示す斜視図。
【図４】本発明による換気ユニットを示す斜視図。
【図５Ａ】図４の換気ユニットの一実施形態を示す分離斜視図。
【図５Ｂ】図４の換気ユニットの他の実施形態を示す分離斜視図。
【図６】図４の換気ユニットに設置される伝熱交換機の一実施形態を示す斜視図。
【図７】図４の換気ユニット内での空気の流れを示す断面図である。
【符号の説明】
【００７３】
１００  キャビネット
２００  送風機
３００  熱交換機
４００  換気ユニット
４１０  ケーシング
４２０  ファンアセンブリ
４３０  換気ホース
４４０  伝熱交換機
４５０  フィルター
【図１】
2005024230.tif 000003
【図２】
2005024230.tif 000004
【図３】
2005024230.tif 000005
【図４】
2005024230.tif 000006
【図５Ａ】
2005024230.tif 000007
【図５Ｂ】
2005024230.tif 000008
【図６】
2005024230.tif 000009
【図７】
2005024230.tif 000010